(57)【要約】【課題】  椅子用の回転テーブルであって、テーブルを回転させても元の位置に自動的に戻る、使い勝手の良い回転テーブルを提供する。【解決手段】  天板１と、前記天板の中心から離れた位置に取り付けられ、椅子の肘掛で回動自在に保持される支柱２と、前記支柱の端に設けられ、その内部に軸受部を備える第１ガイド部材４と、前記第１ガイド部材の前記軸受部に嵌まり込む軸を備える第２ガイド部材５と、を備える。前記第２ガイド部材の端にはその円周に沿ってスパイラル状の摺動面が設けられ、前記第１ガイド部材の端の少なくとも一部に、前記第２ガイド部材の前記スパイラル状の摺動面を滑り落ちる凸部が設けられている。天板を手で回すと凸部がスパイラル状の摺動面を上っていき、天板から手を離すと自重で凸部がスパイラル状の摺動面を滑り落ちていき、元の位置で停止する。【選択図】        図１
2008200221.tif 000002
【特許請求の範囲】
【請求項１】
天板と、
前記天板の中心から離れた位置で前記天板を支え、回動自在に保持された支柱と、
前記支柱の端に設けられ、内部に軸受部を備える第１ガイド部材と、
前記第１ガイド部材の前記軸受部に嵌まり込む軸を備える第２ガイド部材と、を備え、
前記第２ガイド部材の少なくとも前記軸の周囲にはスパイラル状の摺動面が設けられ、
前記第１ガイド部材の少なくとも前記軸受部の周囲の一部に、前記第２ガイド部材の前記スパイラル状の摺動面を摺動する凸部が設けられている、ことを特徴とする位置復帰機能付き椅子用回転式テーブル。
【請求項２】
天板と、
前記天板の中心から離れた位置で前記天板を支え、回動自在に保持された支柱と、
前記支柱の端に設けられ、中心に軸を備える第２ガイド部材と、
前記第２ガイド部材の前記軸を受け入れる軸受部を備える第１ガイド部材と、を備え、
前記第２ガイド部材の少なくとも前記軸の周囲にはスパイラル状の摺動面が設けられ、
前記第１ガイド部材の少なくとも前記軸受部の周囲の一部に、前記第２ガイド部材の前記スパイラル状の摺動面を摺動する凸部が設けられている、ことを特徴とする位置復帰機能付き椅子用回転式テーブル。
【請求項３】
前記第２ガイド部材の前記スパイラル状の摺動面が、対称に複数設けられていることを特徴とする請求項１又は請求項２記載の位置復帰機能付き椅子用回転式テーブル。
【請求項４】
前記第１ガイド部材の前記軸受部の周囲に、対称に複数のスパイラル状の摺動面が設けられ、前記複数のスパイラル状の摺動面の交差部分に突起部が設けられ、
前記第２ガイド部材の前記複数のスパイラル状の摺動面の交差部分に、前記突起部と嵌合する凹部が設けられている、ことを特徴とする請求項３記載の位置復帰機能付き椅子用回転式テーブル。
【請求項５】
前記天板と、前記支柱の端の間に設けられ、前記支柱をその内部で回動自在に保持するブッシュを備え、前記ブッシュの端部にテーパー部が設けられていることを特徴とする請求項１乃至請求項４いずれかに記載の位置復帰機能付き椅子用回転式テーブル。
【発明の詳細な説明】
【技術分野】
【０００１】
この発明は、椅子等に取り付け可能な回転式テーブルに関し、特に、テーブルを回転させても元の位置に自動的に戻る、使い勝手の良い回転テーブルに関する。
【背景技術】
【０００２】
椅子等に取り付け可能な回転式テーブル・折りたたみ式テーブルとして、例えば下記特許文献に記載のものがある。
【０００３】
【特許文献１】特開平9-248227号公報
【特許文献２】特開平9-117350号公報
【特許文献３】特開2002-209670号公報
【特許文献４】実公平8-10293号公報
【発明の開示】
【発明が解決しようとする課題】
【０００４】
椅子等に取り付け可能なテーブルは、着席時・離席時に邪魔にならず、使用時は使い勝手の良いものである必要がある。前者ではテーブルは椅子の外側にあることが望ましく、後者ではテーブルは椅子の上（着席者の胸の前）にあることが望ましい。そのため、この種のテーブルは可動式のものが多く、また、使用しないときは折りたためるようになっているものも多い。
【０００５】
しかし、テーブルが可動式であっても、テーブルの引出し・収納は人が行わなければならず、面倒であった。着席時・離席時にテーブルの動かす必要があるとしても、それが自動的に使用状態に戻れば、非常に便利である。しかしながら、このような機能を備えるテーブルは存在しなかった。
【０００６】
本発明は、上記課題に鑑みてなされたもので、自動的に使用状態に戻る位置復帰機能付き椅子用回転式テーブルを提供することを目的とする。
【課題を解決するための手段】
【０００７】
この発明に係る位置復帰機能付き椅子用回転式テーブルは、
天板と、
前記天板の中心から離れた位置で前記天板を支え、回動自在に保持された支柱と、
前記支柱の端に設けられ、内部に軸受部を備える第１ガイド部材と、
前記第１ガイド部材の前記軸受部に嵌まり込む軸を備える第２ガイド部材と、を備え、
前記第２ガイド部材の前記軸の周囲にはスパイラル状の摺動面が設けられ、
前記第１ガイド部材の前記軸受部の周囲の少なくとも一部に、前記第２ガイド部材の前記スパイラル状の摺動面を摺動する凸部が設けられている、ものである。
なお、前記軸受部と前記軸は、前記支柱及び前記第２ガイド部材を保持するパイプ等によりその機能を実現することもできる。前記第２ガイド部材の前記スパイラル状の摺動面を前記第１ガイド部材の前記凸部が摺動するように誘導するもの・機構は、前記軸受部と前記軸に相当するものである。例えば、前記第１ガイド部材と前記第２ガイド部材が同じパイプ内に配置されていることは、それだけで前記軸受部と前記軸に相当する。
【０００８】
この発明に係る位置復帰機能付き椅子用回転式テーブルは、
天板と、
前記天板の中心から離れた位置で前記天板を支え、回動自在に保持された支柱と、
前記支柱の端に設けられ、中心に軸を備える第２ガイド部材と、
前記第２ガイド部材の前記軸を受け入れる軸受部を備える第１ガイド部材と、を備え、
前記第２ガイド部材の前記軸の周囲にはスパイラル状の摺動面が設けられ、
前記第１ガイド部材の前記軸受部の周囲の少なくとも一部に、前記第２ガイド部材の前記スパイラル状の摺動面を摺動する凸部が設けられている、ものである。
なお、前記軸受部と前記軸は、前記支柱及び前記第１ガイド部材を保持するパイプ等によりその機能を実現することもできる。前記第２ガイド部材の前記スパイラル状の摺動面を前記第１ガイド部材の前記凸部が摺動するように誘導するもの・機構は、前記軸受部と前記軸に相当するものである。例えば、前記第１ガイド部材と前記第２ガイド部材が同じパイプ内に配置されていることは、それだけで前記軸受部と前記軸に相当する。
【０００９】
前記第２ガイド部材の前記スパイラル状の摺動面が、対称に複数設けられてもよい。
【００１０】
前記第１ガイド部材の前記軸受部の周囲に、対称に複数のスパイラル状の摺動面が設けられ、前記複数のスパイラル状の摺動面の交差部分に突起部が設けられ、
前記第２ガイド部材の前記複数のスパイラル状の摺動面の交差部分に、前記突起部と嵌合する凹部が設けられていてもよい。
【００１１】
前記天板と、前記支柱の端の間に設けられ、前記支柱をその内部で回動自在に保持するブッシュを備え、前記ブッシュの端部にテーパー部が設けられていてもよい。
【発明を実施するための最良の形態】
【００１２】
以下、発明の実施の形態について、図面を参照して説明を加える。
【００１３】
図１は発明の実施の形態に係る位置復帰機能付き回転式テーブルの斜視図である。前記回転式テーブルは、椅子の肘掛等に取り付けられるものであるが、図１ではその表示を省略している。
【００１４】
天板１はテーブルと機能するもので、円盤状をしている。
天板（円盤）１に支柱２が取り付けられている。その取り付け位置は天板（円盤）１の中心からかなり離れた位置であるので、支柱２の回転に伴い天板１は偏心運動する。すなわち、支柱２の回転位置に応じて天板１の位置が変わる。例えば、支柱１が図示しない椅子の肘掛部分に設けられているとして、支柱２が回転することで、天板１が椅子の上に張り出したり、肘掛の外側に位置するといった、様々な状態をとることができる。
【００１５】
支柱２は天板１を支える円柱状又は円筒状の部材である。支柱２は、その中心を回転軸として回動自在に保持されている。
【００１６】
ブッシュ３は、支柱２をその内部で回動自在に保持するブッシュ（穴の内面にはめこむ円筒部品）である。ブッシュ３は、椅子の肘掛部分に設けられた図示しない円筒（パイプ等）又は椅子の肘掛部分に穿たれた円柱状の開口に取り付けられる。ブッシュ３は、椅子の肘掛に固定されるが、その内部で支柱２が回動自在に保持されているので、支柱３が回転し、椅子の肘掛に対する天板１の位置が変化することとなる。ブッシュ３を、固定する構造材となるパイプの口元などに固定することで、天板１の左右の振れを抑えることができる（天板１は支柱２を中心とする回転のみ可能である）。
【００１７】
図２にブッシュ３の斜視図を示す。同図は、ブッシュ３を取り外し、その天地を逆にした状態を示す。ブッシュ３は例えば樹脂製の部品である。ブッシュ３の一端にはドーナツ状の鍔３１が設けられている。鍔３１がパイプ等の口元に位置するようになる。その反対側の端には爪３２が設けられている。爪３２は突起であって、対称に２箇所設けられている（図２ではそのうちのひとつを示す）。爪３２が、固定する構造材となるパイプ等に設けられた開口部（図示せず）と嵌め合うことで、ブッシュ３はパイプ等に固定される。さらに、４つの切り欠き部３３が設けられている。切り欠き部３３はスリット状をしており、その部分の肉厚は末端に行くほど薄くなっている。ブッシュ３の切り欠き部３３の近傍を、その軸に平行な平面で切断したとすると、その断面は末端に行くほど薄くなるテーパー状をしている。図２ではその部分をテーパー部３４として示している。
【００１８】
図１に戻り説明を加える。ガイドＡ（４）は、支柱２に取り付けられる（その一方の端でボルト締め）樹脂製の円柱状の部材である。ガイドＡ（４）は、支柱２に固定され、これとともに回転する。
【００１９】
ガイドＢ（５）は、ブッシュ３と同様に、椅子の肘掛部分に設けられた図示しない円筒又は椅子の肘掛部分に穿たれた円柱状の開口に取り付けられる樹脂製の円柱状の部材である。ガイドＢ（５）は、その一方の端でガイドＡ（４）と接触している。
【００２０】
ガイドＡ（４）とガイドＢ（５）の端面はそれぞれ所定のスパイラル状をなしており、ガイドＡ（４）とガイドＢ（５）が所定の位置関係（回転位置）にあるとき、それらの端面同士は互いにぴったりと接し、安定している。前記所定の位置関係（回転位置）から離れると、例えば、人が天板１を回すことなどで支柱２が回転すると、これに伴いガイドＡ（４）が回転し、そのスパイラル状面はガイドＢ（５）の同面を上っていく。天板１から手を離すと、その自重によりガイドＡ（４）のスパイラル状面が、ガイドＢ（５）の同面を滑り落ち、前記所定の位置関係（回転位置）で止まる。この作用により、図１の回転式テーブルは、それを手で回すことにより任意の位置に回転させることができるとともに、手を離した後に自動的に元の位置に戻るという自動復帰機能を備えるものである。
【００２１】
図３にガイドＡ（４）の斜視図を示す。同図は、ガイドＡ（４）を取り外し、その天地を逆に置いた状態を示す。ガイドＡ（４）の一端には、スパイラル状の面４１ａ，４１ｂが設けられている。スパイラルとは、螺旋形・渦巻線のことであるが、図３及び図４に示すスパイラル状の面はスパイラルの一部を切り取ったものであり（スパイラルの中心角度の１８０度に相当）、完全な螺旋をなすものではない。スパイラル状の面４１ａ，４１ｂは、ガイドＡ（４）の中心軸を通る平面に対して左右対称に設けられている。これらは、いわばガイドＡ（４）の円筒を構成する円周に沿った斜面であり、一方が高く、他方が低くなっている。高いほうの頂点には突起４２が設けられている。ガイドＡ（４）の中心には、後述のガイドＢ（５）の中心軸を受け入れるための軸受部（円筒状の穴）４３が設けられている。軸受部４３は貫通していない。ガイドＡ（４）の他端には、支柱２を保持するための凹状の支柱保持穴４４が設けられている。支柱保持穴４４と軸穴４３の間には、ガイドＡ（４）を支柱２に固定するためのボルト穴４５が穿たれている。また、ガイドＡ（４）の他端（後部４６）は絞られており、その直径は少し小さくなっている。天板１を引っ張り上げたときに、後部４６がブッシュ３のテーパー部３４に嵌まり込むことで、爪３２を押し広げ、ブッシュ３がパイプ等から抜けないようになっている（後述）。
【００２２】
図４にガイドＢ（４）の斜視図を示す。同図は、ガイドＢ（５）を取り外した状態を示す。図２及び図３とは異なり、その天地は取り付け状態と同じである。ガイドＢ（５）の円周に沿って、スパイラル状の面５１ａ，５１ｂが設けられている。スパイラル状の面５１ａ，５１ｂは左右対称に設けられた、いわば斜面であり、ガイドＡ（３）のスパイラル状の面４１ａ，４１ｂと対応するものである（図３及び図４の例に関して、前記所定の位置関係（回転位置）において、スパイラル状の面４１ａと５１ａは密着する。４１ｂと５１ｂも同様）。スパイラル状の面５１ａと５１ｂが交差する最下点には凹部５２が設けられている。前記所定の位置関係（回転位置）において、凹部５２にガイドＡ（４）の突起４２が嵌まり込む。５３は、ガイドＢ（４）の中心軸である。中心軸５３を取り囲むように、スパイラル状の面５１ａ，５１ｂが設けられている。中心軸５３の先端には、その軸方向に沿って複数のスリット（細長い浅い溝）５４が設けられている。これは潤滑用のグリースなどを保持するためのものである。ガイドＡ（４）の下側円周には、その軸方向に沿って複数の凸部（細長い突起）５５が設けられている。これは、ガイドＡ（４）がパイプ等に取り付けられたときに、それが回転しないようにするためのものである。また、ガイドＡ（４）の直径を貫通する取り付け穴５６が設けられている。この穴にボルトを通すことで、ガイドＡ（４）をパイプ等に取り付けるとともに、その回転を止めることができる。
【００２３】
図５は、支柱２の中心軸を通る平面で、支柱２、ブッシュ３、ガイドＡ（４），ガイドＢ（５）を切断した断面図を示す。同図の左側に天板１が設けられる。同図で、６はガイドＡ（４）を支柱２に固定するボルト、Ｐはパイプである。同図は、天板１が所定位置から１８０度ほど回転され、ガイドＡ（２）の突起４２が、ガイドＢ（５）のスパイラル状の面５１ａ，５１ｂの頂上に位置している状態を示す。この状態では、軸穴４３には、中心軸５３が届かない空隙が生じている。
【００２４】
図６を参照して、発明の実施の形態に係る機構の作用を説明する。図６（ａ）は天板１が所定位置から１８０度ほど回転された状態（図５相当）、同図（ｂ）はそれが途中まで戻った状態（途中）、同図（ｃ）は所定位置に戻って安定した状態を示す。
【００２５】
図６（ａ）に示すように、人の手により天板１が所定位置から１８０度ほど回転され、ガイドＡ（４）の突起４２が、ガイドＢ（５）のスパイラル状の面５１ａ，５１ｂの頂上に位置しているとする。なお、スパイラル状の面５１ａと５１ｂは左右対称に設けられているから、天板１を左右どちらの方向に１８０度回しても、図６（ａ）の状態になる。この際、突起４２がスパイラル状の面５１ａ、５１ｂを上っていくので、わずかであるが、天板１の位置は高くなる。
【００２６】
この状態で天板１から手を離すと、自重により突起４２がスパイラル状の面５１ａ、５１ｂを滑り落ちていく。図６（ｂ）は滑り落ちていく途中の状態を示す。これに伴い、ガイドＡ（４）と支柱２は回転していく。図６中の矢印はこのことを示す。
【００２７】
やがて、図６（ｃ）に示すように、突起４２が凹部５２に達すると、これに嵌まり込み、その移動及び支柱２の回転は停止するとともに、スパイラル状の面４１と５１が密着するので、支柱２は安定する。この状態で、天板１の位置は最も低くなる。
【００２８】
以上説明したように、発明の実施の形態に係る機構によれば、天板（回転テーブル）１の回転支柱２の先端（ガイドＡ（４））にスパイラル状の面４１を設け、その面に合うスパイラル状の面５１を持つガイドＢ（５）でガイドＡ（４）を受ける事により、天板１を回転させてどの位置で手を離しても、その自重によって回転し天板１が定位置に戻るようになる。定位置に戻った状態でガイドＡ（４）の突起４２が、ガイドＢ（５）の凹部（溝）５２に嵌まり込み、その位置で、両者はある程度安定的に係止される。
【００２９】
ガイドＢ（５）に中心軸５３が設けられ、これがガイドＡ（４）の軸穴４３に嵌合し、ここを中心に回転するので、パイプＰの内壁のバリやビードに影響されず安定的に天板１・支柱２を回転させることができる。
なお、中心軸と軸穴がなくてもパイプＰがその機能を果たすので、スパイラル状の斜面があれば、自動位置復帰機能を果たすことができる。
【００３０】
支柱２の振れを抑える為にブッシュ３が設けられている。固定する構造材となるパイプＰの口元にブッシュ３は固定されている。
【００３１】
天板１・支柱２が不用意に引き抜かれる事のないように、ブッシュ３の下周りに、ガイドＡ（４）の後部４６と嵌り合うテーパー部３４が設けられている。天板１・支柱２を引き上げると、図７に示すように、ガイドＡ（４）の後部４６がブッシュ３のテーパー部３４の内側に嵌まり込み、これを外側へと押し出す。すると、爪３２が外側へと広がり、パイプＰに設けられた穴にしっかりと嵌まり込むのでブッシュ３がパイプＰから外れることはなく、天板１・支柱２がパイプＰから引き抜かれることがない。
【００３２】
図８は、発明の実施の形態に係る位置復帰機能付き回転式テーブルの取り付け例を示す。椅子Ｃの肘掛に設けられた穴に支柱２が取り付けられている（図示しないがブッシュ３、ガイドＡ（４）、ガイドＢ（５）も取り付けられている）。通常の状態（外力が加わらない状態）では、天板１は実線で示す位置にある。この状態では、天板１は椅子Ｃの右半分に張り出しており、椅子に座った人が書類や飲み物などを天板１上に置くには便利であるものの、椅子に座ろうとする際には邪魔になる。そこで、天板１を支柱２を中心に回すと、天板１は大きく移動し、椅子Ｃから外れるので（支柱３が天板１の中心から離れた位置で支えているため）、椅子に楽に座ることができる。そこで手を離すと、前述のような作用により支柱３が自動的に回転し、天板１が通常の位置に戻る。このように、発明の実施の形態に係る位置復帰機能付き回転式テーブルによれば、使用時の便利さと、着席・離席時の使い勝手の良さの両方を満足させることができる。
【００３３】
発明の実施の形態の変形例１．
図３のガイドＡ（４）には突起４２が設けられていたが、例えば、図９に示すようにこれをもたないものでもよい。スパイラル状の面４１ａと４１ｂの交点に生じる凸部が突起４２と同様に機能する。なお、図９に対応して、ガイドＢ（５）の凹部５２をなくしてもよい。
【００３４】
発明の実施の形態の変形例２．
図３のガイドＡ（４）にはスパイラル状の面４１ａと４１ｂが設けられていたが、例えば、図１０に示すようにこれをもたないものでもよい。ガイドＡ（４）の中心軸に平行に、その円周の少なくとも一部に設けられた突起４２があれば、図４（あるいは後述の図１１）のガイドＢ（５）との組み合わせにより、上述と同様の機能を果たすことができる。この場合、スパイラル状の面４１ａと４１ｂは不要である。
【００３５】
発明の実施の形態の変形例３．
図４のガイドＢ（５）には２つのスパイラル状の面５１ａと５１ｂが対称に設けられていたが、例えば、図１１に示すようにスパイラル状の面５１はひとつであってもよい。図１１のスパイラルの角度は約３６０度である。図１１のガイドＢ（５）と、例えば図１０のガイドＡ（４）との組み合わせにより、上述と同様の機能を果たすことができる。ただし、図１１の構造では、支柱２の回転方向が一方に限定されることになる（図４の構造では左右どちらにも回転できた）。また、ガイドＡ（４）の突起４２がスパイラル状の面５１から外れないように、例えば支柱２が３６０度以上回転できないようなストッパ機構を設けることが好ましい。
【００３６】
なお、以上の説明において、ガイドＡ（４）を支柱に固定し、ガイドＢ（５）をパイプ内部に固定していたが、逆に、ガイドＢ（５）を支柱に固定し、ガイドＡ（４）をパイプ内部に固定するようにしてもよく、同様の作用効果を生じる。
【００３７】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００３８】
【図１】発明の実施の形態に係る位置復帰機能付き回転式テーブルの斜視図である。
【図２】発明の実施の形態に係るブッシュの斜視図である。
【図３】発明の実施の形態に係るガイドＡの斜視図である。
【図４】発明の実施の形態に係るガイドＢの斜視図である。
【図５】発明の実施の形態に係る機構の断面図である。
【図６】発明の実施の形態に係る機構の作用の説明図である（斜視図）。
【図７】発明の実施の形態に係る機構の断面図である（抜け止めの説明図）。
【図８】発明の実施の形態に係る位置復帰機能付き回転式テーブルの使用状態の説明図である。
【図９】発明の実施の形態の変形例１に係るガイドＡの斜視図である。
【図１０】発明の実施の形態の変形例２に係るガイドＡの斜視図である。
【図１１】発明の実施の形態の変形例３に係るガイドＢの斜視図である。
【符号の説明】
【００３９】
１    天板
２    支柱
３    ブッシュ
３１  鍔
３２  爪
３３  切り欠き部
３４  テーパー部
４    ガイドＡ（第１ガイド部材）
４１ａ，４１ｂ  スパイラル状の面
４２  突起（凸部）
４３  軸受部（軸穴）
５    ガイドＢ（第２ガイド部材）
５１ａ，５１ｂ  スパイラル状の面
５２  凹部
５３  中心軸
５４  スリット
５５  凸部
５６  取り付け穴
Ｃ    椅子
Ｐ    パイプ
【図１】
2008200221.tif 000003
【図２】
2008200221.tif 000004
【図３】
2008200221.tif 000005
【図４】
2008200221.tif 000006
【図５】
2008200221.tif 000007
【図６】
2008200221.tif 000008
【図７】
2008200221.tif 000009
【図８】
2008200221.tif 000010
【図９】
2008200221.tif 000011
【図１０】
2008200221.tif 000012
【図１１】
2008200221.tif 000013